(57)【特許請求の範囲】
【請求項１】
フレキシブルコンテナを吊り下げるフレキシブルコンテナ吊り下げ体と、
粉粒体タンクの投入口に着脱可能に接続されるタンク投入管と、
タンク投入管に気密に接続する接続具を底面開口に設け、フレキシブルコンテナ吊り下げ体から吊り下げたフレキシブルコンテナを覆うように、フレキシブルコンテナ吊り下げ体に上面開口の周縁部を着脱可能に装着できる透明シート材から成るフレキシブルコンテナカバーを備えたことを特徴とするフレキシブルコンテナ用防塵装置。
【請求項２】
フレキシブルコンテナ吊り下げ体が、底面開口を有する筒構造を有し、
上面に吸気口を設けるとともにホイストが連結される連結バーを設け、
内部にフレキシブルコンテナを掛止して吊り下げるフレキシブルコンテナ用フックを設け、
外面にフレキシブルコンテナカバーの上面開口端側を掛止するフレキシブルコンテナカバー用フックを設けたことを特徴とする請求項１に記載のフレキシブルコンテナ用防塵装置。
【請求項３】
フレキシブルコンテナカバーにカバー内部に突出する作業用グローブを一体に設けたことを特徴とする請求項１に記載のフレキシブルコンテナ用防塵装置。
【請求項４】
フレキシブルコンテナカバーの底部が中空錐体構造を有し、底部中心部に底面開口を形成したことを特徴とする請求項１に記載のフレキシブルコンテナ用防塵装置。
【請求項５】
フレキシブルコンテナカバーの底部に複数本の張枠を上下方向に列設して蛇腹構造にしたことを特徴とする請求項４に記載のフレキシブルコンテナ用防塵装置。
【請求項６】
フレキシブルコンテナカバーの上面開口の周縁部に、同周縁部をフレキシブルコンテナ吊り下げ体に密着させる密着手段を設けたことを特徴と請求項１に記載のフレキシブルコンテナ用防塵装置。
【請求項７】
密着手段が絞り紐又は面ファスナーであることを特徴とする請求項６に記載のフレキシブルコンテナ用防塵装置。
【請求項８】
接続具がリング形状を有し、
タンク投入管が、外周部に接続具が嵌合する外筒と、外筒の内側に設けられ、タンクの投入口に接続される内筒からなる２重管構造を有し、外筒にフレキシブルコンテナカバー用集塵口を設けるとともに、外筒に嵌合した接続具を解除可能に固定する固定具を設けたことを特徴とする請求項１に記載のフレキシブルコンテナカバー用防塵装置。
【請求項９】
接続具に嵌合してフレキシブルコンテナカバーの底面開口を閉じる蓋体を備えたことを特徴とする請求項１に記載のフレキシブルコンテナ用防塵装置。
【発明の詳細な説明】
【技術分野】
【０００１】
本発明はフレキシブルコンテナから粉粒体をホッパー等の粉粒体タンクに投入する際、粉粒体がタンクの投入口の周囲に飛散するのを防止し、あるいは、粉粒体を排出した後にフレキシブルコンテナを移動するとき、同コンテナの表面に付着した粉粒体が飛散するのを防止するフレキシブルコンテナ用防塵装置に関する。
【背景技術】
【０００２】
フレキシブルコンテナの一形式として、ポリエチレンやポリプロピレン等の丈夫なシート材を袋状に成型したコンテナが粉粒体の運搬、貯蔵に使用される。この種のコンテナにはクレーンやフォークリフトで持ちあげるときフックを掛止する吊りベルトと、粉粒体をコンテナ内に装入するための上部開口と、粉粒体をコンテナから排出する袋状の排出口が設けられ、排出口は閉じ紐で閉じられ、閉じ紐を解いて開くことができるように構成されている。
【０００３】
この種のフレキシブルコンテナをクレーンで持ち上げてタンクの投入口の真上まで移送し、閉じ紐を解いて粉粒体を排出口からタンク内に投入するとき、投入した粉粒体の一部がタンク内から逆流して投入口の周囲に飛散する。また、粉粒体を排出した後にフレキシブルコンテナを移動するとき、同コンテナの表面に付着した粉粒体が飛散する。
【０００４】
粉粒体の飛散を防止する手段として、特開２００７−１３７４５８号公報にはフレキシブルコンテナに被せて使用する防塵カバーが開示されている。  この防塵カバーは底面が開口した筒状の胴部と、胴部の上端部を覆う蓋板部を備え、蓋板部の中央部にフレキシブルコンテナの吊りベルトを挿通する通孔が設けられ、その周囲に上方へ突出するカラーが設けられている。このカラーの周囲に巻回した紐を引き締めると通孔を閉じることができる。
【先行技術文献】
【特許文献】
【０００５】
【特許文献１】特開２００７−１３７４５８号公報
【発明の概要】
【発明が解決しようとする課題】
【０００６】
上記した従来の防塵カバーでフレキシブルコンテナを覆うことにより、粉粒体のタンク投入時に防塵カバーの周囲に粉粒体が飛散するのをある程度防止できる。しかしながら、粉粒体をタンクに投入した後、防塵カバーとともにフレキシブルコンテナをクレーンで持ち上げると、防塵カバーの底面開口から粉粒体がカバー外部に拡散し、周囲の環境が粉粒体で汚染される。
【０００７】
本発明はかかる問題点に鑑み、フレキシブルコンテナから粉粒体をホッパー等の粉粒体タンクに投入する際、粉粒体がタンクの周囲に拡散するのをより確実に防止できるフレキシブルコンテナ用防塵装置を目的とする。
【課題を解決するための手段】
【０００８】
請求項１に記載の発明は、フレキシブルコンテナ用防塵装置であって、
フレキシブルコンテナを吊り下げるフレキシブルコンテナ吊り下げ体と、
粉粒体タンクの投入口に着脱可能に接続されるタンク投入管と、
タンク投入管に気密に接続する接続具を底面開口に設け、フレキシブルコンテナ吊り下げ体から吊り下げたフレキシブルコンテナを覆うように、フレキシブルコンテナ吊り下げ体に上面開口の周縁部を着脱可能に装着できる透明シート材から成るフレキシブルコンテナカバーを備えたことを特徴とする。
【０００９】
請求項２に記載の発明は、請求項１に記載のフレキシブルコンテナ用防塵装置において、
フレキシブルコンテナ吊り下げ体が、底面開口を有する筒構造を有し、
上面に吸気口を設けるとともにホイストが連結される連結バーを設け、
内部にフレキシブルコンテナを掛止して吊り下げるフレキシブルコンテナ用フックを設け、
外面にフレキシブルコンテナカバーの上面開口端側を掛止するフレキシブルコンテナカバー用フックを設けたことを特徴とする。
【００１０】
請求項３に記載の発明は、請求項１に記載のフレキシブルコンテナ用防塵装置において、
フレキシブルコンテナカバーにカバー内部に突出する作業用グローブを一体に設けたことを特徴とする。
【００１１】
請求項４に記載の発明は、請求項１に記載のフレキシブルコンテナ用防塵装置において、
フレキシブルコンテナカバーの底部が中空錐体構造を有し、底部中心部に底面開口を形成したことを特徴とする。
【００１２】
請求項５に記載の発明は、請求項４に記載のフレキシブルコンテナ用防塵装置において、
フレキシブルコンテナカバーの底部に複数本の張枠を上下方向に列設して蛇腹構造にしたことを特徴とする。
【００１３】
請求項６に記載の発明は、請求項１に記載のフレキシブルコンテナ用防塵装置において、
フレキシブルコンテナカバーの上面開口の周縁部に、同周縁部をフレキシブルコンテナ吊り下げ体に密着させる密着手段を設けたことを特徴とする。
【００１４】
請求項７に記載の発明は、請求項６に記載のフレキシブルコンテナ用防塵装置において、
密着手段が絞り紐又は面ファスナーであることを特徴とする。
【００１５】
請求項８に記載の発明は、請求項１に記載のフレキシブルコンテナカバー用防塵装置において、
接続具がリング形状を有し、
タンク投入管が、外周部に接続具が嵌合する外筒と、外筒の内側に設けられ、タンクの投入口に接続される内筒からなる２重管構造を有し、外筒にフレキシブルコンテナカバー用集塵口を設けるとともに、外筒に嵌合した接続具を解除可能に固定する固定具を設けたことを特徴とする。
【００１６】
請求項９に記載の発明は、請求項１に記載のフレキシブルコンテナ用防塵装置において、
接続具に嵌合してフレキシブルコンテナカバーの底面開口を閉じる蓋体を備えたことを特徴とする。
【発明の効果】
【００１７】
請求項１に記載の発明に係るフレキシブルコンテナ用防塵装置では、フレキシブルコンテナ吊り下げ体からフレキシブルコンテナを吊り下げ、フレキシブルコンテナカバーで覆う。そして、吊り下げたフレキシブルコンテナをタンクの投入口の真上まで移送し、タンクの投入口に接続したタンク投入管にフレキシブルコンテナカバーの底面開口の接続具を接続する。ついで、透明なフレキシブルコンテナカバーの上からフレキシブルコンテナカバーの排出口を閉じている紐を手で解いて排出口を開き、フレキシブルコンテナカバーの粉粒体をタンクに投入する。
しかして、本発明によれば、フレキシブルコンテナをフレキシブルコンテナカバーで覆うとともに、フレキシブルコンテナカバーの底面開口をタンク投入管に気密に接続するので、粉粒体のタンク投入時、タンク投入口から粉粒体が逆流して投入口の周囲に飛散してもフレキシブルコンテナカバーの外部には拡散しないので、粉粒体でタンク周囲の環境が害されるのを防止できる。
【００１８】
請求項２に記載の発明によれば、フレキシブルコンテナ用フックにフレキシブルコンテナを掛止して吊り下げ、フレキシブルコンテンカバー用フックにフレキシブルコンテンカバーを掛止することによりフレキシブルコンテナをフレキシブルコンテナカバーで覆うことができ、フレキシブルコンテナとフレキシブルコンテナカバーをフレキシブルコンテナ吊り下げ体に装着する作業を容易、迅速に行える。
【００１９】
請求項３に記載の発明によれば、フレキシブルコンテナカバーで覆われているフレキシブルコンテナの排出口を閉じている紐を、作業用グローブに通した手で解くことができるので、紐解き作業を迅速に行える。
【００２０】
請求項４に記載の発明によれば、フレキシブルコンテンカバーの底部を錐体構造にしたので、タンク投入時にフレキシブルコンテナカバー内に落下、若しくは飛散した粉粒体あるいはフレキシブルコンテナカバー内で発生した塵埃が、フレキシブルコンテナカバーの底部の下降傾斜に沿って底面開口へと流入し、底面開口からタンク投入管を通ってタンクに流入する。そのため、フレキシブルコンテナ内の粉粒体を迅速にタンクに投入できる。
【００２１】
請求項５に記載の発明によれば、フレキシブルコンテナカバーの底部を蛇腹構造にしたので、同カバーを折り畳むとき、皺や弛みが生じ難くなり、畳易い。
【００２２】
請求項６又は請求項７に記載の発明によれば、フレキシブルコンテナカバーの上面開口の周縁部をフレキシブルコンテナ吊り下げ体に密着することができ、フレキシブルコンテナカバーとフレキシブルコンテナ吊り下げ体との隙間から粉粒体が同カバーの外部に飛散するのを防止できる。
【００２３】
請求項８に記載の発明によれば、フレキシブルコンテナカバーの底部開口に設けた接続具を外筒に嵌合して固定具で固定することにより、フレキシブルコンテナカバーの底部開口とタンクの投入口が内筒を介して連通されるので、フレキシブルコンテナから粉粒体をタンクに投入できる。また、外筒に集塵口を設けたので、集塵口に集塵機を接続し、フレキシブルコンテナの排出口からフレキシブルコンテナ内部に飛散した粉粒体を吸引でき、フレキシブルコンテナカバーの内部から外部へ粉粒体が拡散するのを防止できる。
【００２４】
請求項９に記載の発明によれば、使用しないときフレキシブルコンテナカバーの底面開口を蓋体で閉じることにより同カバー内に残留する粉粒体がカバー外部に拡散するのを防止できる。
【図面の簡単な説明】
【００２５】
【図１】本発明の実施例に係るフレキシブルコンテナ用防塵装置の概略構造を示す説明図である。
【図２】同防塵装置のフレキシブルコンテナ吊り下げ体と、フレキシブルコンテナ及びフレキシブルコンテナカバーを示す斜視図である。
【図３】同防塵装置のフレキシブルコンテナカバーの底部を示す部分図である。
【図４】同防塵装置のフレキシブルコンテナカバーの底部とタンク投入管を示す斜視図である。
【図５】同防塵装置の使用方法を示す説明図である。
【図６】同防塵装置の使用方法を示す説明図である。
【図７】同防塵装置の使用方法を示す説明図である。
【図８】同防塵装置の使用方法を示す説明図である。
【実施例】
【００２６】
以下に本発明を図面に基づき説明する。図１には本発明の一実施例に係るフレキシブルコンテナ用防塵装置が示されている。当該防塵装置１０は、フレキシブルコンテナ１１を吊り下げるフレキシブルコンテナ吊り下げ体１２と、フレキシブルコンテナカバー１３と、粉粒体タンク１４の投入口に着脱可能に接続されるタンク投入管１５及び張枠受けリング１６を備えている。
【００２７】
図２に示すように、フレキシブルコンテナ１１はポリエチレンやポリプロピレン等の丈夫なシート材から成る袋構造を有し、クレーンやフォークリフトで持ちあげるときフックを掛止する吊りベルト１１ａと、粉粒体をコンテナ１１内に装入するための袋状の上部開口１１ｂと、粉粒体をコンテナ１１から排出する袋状の排出口１１ｃが設けられ、上部開口１１ｂと排出口１１ｃは閉じ紐で閉じられ、閉じ紐を解いて開くことができるように構成されている。
【００２８】
鉄板製のフレキシブルコンテナ吊り下げ体１２は底面開口を有する浅い筒構造を有し、上面中央部に吸気口１２ａが設けられ、吸気口１２ａにクレーンのホイスト１７が連結される連結バー１２ｂが設けられている。好ましくは、吸気口１２にフィルターを着脱可能に被せ、吸気口１２から粉粒体が外部へ拡散するのを防止する。フレキシブルコンテナ吊り下げ体１２の内周面にはフレキシブルコンテナ１１の吊りベルト１１ａを掛止してフレキシブルコンテナ１１を吊り下げるフレキシブルコンテナ用フック１２ｃが設けられている。また、フレキシブルコンテナ吊り下げ体１２の上面には、フレキシブルコンテナカバー１３の上面開口端側を掛止するフレキシブルコンテナカバー用フック１２ｄが設けられている。
【００２９】
フレキシブルコンテナカバー１３は塩化ビニル、ポリエチレン、ポリプロピレン等の軟質透明プラスチックシート材で成形され、図３に示すように、上端面開口を有する直胴部１３ａと、直胴部１３ａの下端部から連続する中空錐体構造の底部１３ｂを備えている。フレキシブルコンテナカバー１３の底部１３ｂには複数本の張枠１３ｃが上下方向に等間隔で設けられ、これに張枠１３ｃによって底部１３ｂが蛇腹構造に構成されている。
【００３０】
底部１３ｂの中心部に底面開口１３ｄが形成され、底面開口１３ｄに金属製の接続リング１３ｅが固着され、接続リング１３ｅにパッキン１３ｆが貼り付けられている。また、底部１３ｂの中間部に軟質プラスチック製のグローブが一体的に設けられ、底部１３ｂの内側に突出している。フレキシブルコンテナカバー１３の直胴部１３ａの上端面開口の縁部には掛紐１３ｈが設けられている。
この掛紐１３ｈをフレキシブルコンテナ吊り下げ体１２のフレキシブルコンテナカバー用フック１２ｄに掛止することにより、フレキシブルコンテナ吊り下げ体１２から吊り下げたフレキシブルコンテナ１１を覆うように、フレキシブルコンテナ吊り下げ体１２にフレキシブルコンテナカバー１３の直胴部１３ａの上面開口の周縁部を着脱可能に装着できる。また、直胴部１３ａの上面開口の周縁部には、
同周縁部をフレキシブルコンテナ吊り下げ体１２の外周部に密着させる密着手段として、絞り紐１３ｋと面ファスナー１３ｍが取り付けられている。
【００３１】
図４に示すように、タンク投入管１５は、フレキシブルコンテナカバー１３の接続リング１３ｅが外周部に嵌合する外筒１５ａと、外筒１５ａの内側に同心状に設けられた内筒１５ｂを備えた２重管構造を有する。外筒１５ａの外周部には接続リング１３ｅが嵌合したとき当接するフランジ部１５ｃと、フランジ部１５ｃに当接した接続リング１３ｅを解除可能に固定するトグルクランプ１５ｄが設けられている。また、外筒１５ａにはフレキシブルコンテナカバー用集塵口１５ｅが設けられている。
なお、図４中、符号１８で示す部材は接続リング１３ｅに着脱可能に嵌合し、フレキシブルコンテナカバー１３の底面開口１３ｄを塞ぐ蓋体である。
【００３２】
図１に示すように、張枠受けリング１６は内外２本のリングフレーム１６ａ，１６ｂを同心状に設けて連結フレーム１６ｃで連結し、外側リングフレーム１６ａから脚片１６ｄを垂設した構造を有する。
【００３３】
本実施例に係るフレキシブルコンテナ用防塵装置の構成は以上の通りであって、以下にその使用方法を図５〜図８に従って説明する。
フレキシブルコンテナ１１を吊り下げたフレキシブルコンテナ吊り下げ体１２をホイスト１７のフックに掛け、底部１３ｂを折り畳んだ状態で床に載置したフレキシブルコンテナカバー１３の真上まで移送する（図５Ａ）。
【００３４】
フレキシブルコンテナカバー吊り下げ体１２を下降し、フレキシブルコンテナカバー１３の底部１３ｂを着地させる（図５Ｂ）。
【００３５】
フレキシブルコンテナカバー１３の掛紐１３ｈを引き上げて、フレキシブルコンテナカバー用フック１２ｄに掛止し、フレキシブルコンテナ１１をフレキシブルコンテナカバー１３で覆う（図５Ｃ）。
【００３６】
ホイスト１７でフレキシブルコンテナ吊り下げ体１２を吊り上げる。フレキシブルコンテナカバー１３の底部１３ｂが自重で錐体形状に拡開する（図６Ｄ）。
【００３７】
タンク１４のタンク投入口には事前にタンク投入管１５と張枠受けリング１６を設置しておく。フレキシブルコンテナ吊り下げ体１２をタンク１４の投入口の真上まで移送して下降させる。このときフレキシブルコンテナカバー１３の底部１３ｂは張枠１３ｃが張枠受けリング１６に載置されて、折り畳まれる。フレキシブルコンテナカバー１３の接続リング１３ｅをタンク投入管１５の外筒１５ａに嵌合し、トグルクランプ１５ｄで接続リング１３ｅを外筒１５ａに固定する（図６Ｅ）。その後、集塵口１５ｅに集塵機を接続して作動させる。
【００３８】
フレキシブルコンテナカバー１３のグローブ１３ｇに手を入れて、フレキシブルコンテナ１１の排出口１１ｃをタンク投入管１５の内筒１５ｂに挿入し、絞り紐を解いて排出口１１ｃを開く（図６Ｆ）。
【００３９】
フレキシブルコンテナ１１の排出口１１ｃから粉粒体がタンク投入管１５の内筒１５ｂを通ってタンク１４に投入される（図７Ｇ）。
【００４０】
フレキシブルコンテナ１１から粉粒体が排出されるに伴い、フレキシブルコンテナ１１の底部がタンク投入管１５に被さるので、定期的にフレキシブルコンテナ吊り下げ体１２を上昇させてフレキシブルコンテナ１１を吊り上げる（図７Ｈ）。
【００４１】
フレキシブルコンテナ１１から粉粒体の排出が完了したら、グローブ１３ｇに手を入れてフレキシブルコンテナ１１の排出口１１ｃを紐で縛って閉じる。その後、フレキシブルコンテナカバー１３を外から叩いて同カバー１３の内面に付着している粉粒体を落とす。落とされた粉粒体はフレキシブルコンテナカバー１３の底部１３ｂの下降傾斜に沿ってタンク投入管１５の内筒１５ｂに落ち込み、タンク１４へと投入される（図７Ｉ）。また、フレキシブルコンテナカバー１３の内部に飛散した粉粒体は、外筒１５ａと内筒１５ｂの間から集塵機で吸引され集塵口１５ｅから外部へ排出されるので、フレキシブルコンテナカバー１３の内部に粉粒体が残留するのを防止できる。
【００４２】
トグルクランプ１５ｄを操作して接続リング１３ｅを外筒１５ａから離し、フレキシブルコンテナ吊り下げ体１２を上昇させてフレキシブルコンテナカバー１３をタンク投入管１５から分離し、接続リング１３ｅに蓋体１８を被せてフレキシブルコンテナカバー１３の底面開口１３ｄを塞ぐ（図７Ｊ）。
【００４３】
フレキシブルコンテナ吊り下げ体１２を下降させて、フレキシブルコンテナカバー１３の底部１３ｂを着地させ（図８Ｋ）、同カバー１３をフレキシブルコンテナ吊り下げ体１２から取り外し（図（Ｌ）、次いで、フレキシブルコンテナ１１をフレキシブルコンテナ吊り下げ体１２から取り外す（図８Ｍ）。
【００４４】
本実施例に係るフレキシブルコンテナ用防塵装置１０によれば、フレキシブルコンテナ１１をフレキシブルコンテナカバー１３で覆うとともに、フレキシブルコンテナカバー１３の底面開口１３ｄをタンク投入管１５に気密に接続するので、粉粒体のタンク投入時、タンク投入口から粉粒体が逆流して投入口の周囲に飛散してもフレキシブルコンテナカバー１３の外部には拡散しないので、粉粒体でタンク周囲の環境が害されるのを防止できる。
【００４５】
フレキシブルコンテナ用フック１２ｃにフレキシブルコンテナ１１を掛止して吊り下げ、フレキシブルコンテンカバー用フック１２ｄにフレキシブルコンテンカバー１３を掛止することによりフレキシブルコンテナ１１をフレキシブルコンテナカバー１３で覆うことができ、フレキシブルコンテナ１１とフレキシブルコンテナカバー１３をフレキシブルコンテナ吊り下げ体１２に装着する作業を容易、迅速に行える。
【００４６】
フレキシブルコンテナカバー１３で覆われているフレキシブルコンテナ１１の排出口１１ｃを閉じている紐を、作業用グローブ１３ｇに通した手で解くことができるので、紐解き作業を迅速に行える。
【００４７】
フレキシブルコンテンカバー１３の底部１３ｂを錐体構造にしたので、タンク投入時にフレキシブルコンテナカバー１３内に落下し、若しくは飛散した粉粒体、あるいはフレキシブルコンテナカバー１３内で発生した塵埃が、フレキシブルコンテナカバー１３の底部１３ｂの下降傾斜に沿って底面開口１３ｄへと流入し、底面開口１３ｄからタンク投入管１５の内筒１５ｂを通ってタンク１４に流入する。そのため、フレキシブルコンテナ１１内の粉粒体を迅速にタンク１４に投入できる。
【００４８】
フレキシブルコンテナカバー１３の底部１３ｂを蛇腹構造にしたので、同カバー１３を折り畳むとき、皺や弛みが生じ難くなり、畳易い。
【００４９】
絞り紐１３ｋと面ファスナー１３ｍでフレキシブルコンテナカバー１３の上面開口の周縁部をフレキシブルコンテナ吊り下げ体１２の外周部に密着することができ、フレキシブルコンテナカバー１３とフレキシブルコンテナ吊り下げ体１２の外周部との隙間から粉粒体が同カバー１３の外部に飛散するのを防止できる。
【００５０】
フレキシブルコンテナカバー１３の底面開口１３ｄに設けた接続リング１３ｅを外筒１５ａに嵌合してトグルクランプ１５ｄで固定することにより、フレキシブルコンテナカバー１３の底部開口１３ｄとタンク１４の投入口が内筒１５ｂを介して連通されるので、フレキシブルコンテナ１１から粉粒体をタンク１４に投入できる。また、外筒１５ａに集塵口１５ｅを設けたので、集塵口１５ｅに集塵機を接続し、フレキシブルコンテナ１１の排出口１１ｃからフレキシブルコンテナカバー１３の内部に飛散した粉粒体を吸引でき、フレキシブルコンテナカバー１３の内部に粉粒体が残留するのを防止できる。
【００５１】
装置１０を使用しないときフレキシブルコンテナカバー１３の底面開口１３ｄを蓋体１８で閉じることにより同カバー１３内に残留する粉粒体がカバー１３の外部に拡散するのを防止できる。
【００５２】
なお、本実施例ではフレキシブルコンテナカバー１３の底部１３ｂに張枠１３ｃを設けて蛇腹構造にしたが、大小、径の異なる円錐台形のシート材を径の大きいものから順に繋げて縫着することにより蛇腹構造にするもことできる。
【符号の説明】
【００５３】
１０…フレキシブルコンテナ用防塵装置
１１…フレキシブルコンテナ
１１ｃ…排出口
１２…フレキシブルコンテナ吊り下げ体
１２ａ…吸気口
１２ｂ…連結バー
１２ｃ…フレキシブルコンテナ用フック
１２ｄ…フレキシブルコンテナカバー用フック
１３…フレキシブルコンテナカバー
１３ｂ…底部
１３ｃ…張枠
１３ｄ…底面開口
１３ｅ…接続リング
１３ｇ…グローブ
１３ｋ…絞り紐
１３ｍ…面ファスナー
１４…タンク
１５…タンク投入管
１５ａ…外筒
１５ｂ…内筒
１５…トグルクランプ
１５ｅ…集塵口
１６…張枠受けリング
１７…ホイスト
１８…蓋体
【図１】
0006337041.tif 000002
【図２】
0006337041.tif 000003
【図３】
0006337041.tif 000004
【図４】
0006337041.tif 000005
【図５】
0006337041.tif 000006
【図６】
0006337041.tif 000007
【図７】
0006337041.tif 000008
【図８】
0006337041.tif 000009